【手続補正書】
【提出日】平成20年10月31日(2008.10.31)
【手続補正１】
【補正対象書類名】特許請求の範囲
【補正対象項目名】全文
【補正方法】変更
【補正の内容】
【特許請求の範囲】
【請求項１】
ＤＳＬシステム内の第１ＤＳＬモデム（１２２）のモデムタイプを識別するためのＤＳＬモデムタイプ識別子であって、前記ＤＳＬシステムは、ＤＳＬ回線によって第２ＤＳＬモデム（１４２）にカップリングされた前記第１ＤＳＬモデム（１２２）を備え、前記ＤＳＬモデムタイプ識別子は、
前記ＤＳＬシステムにカップリングされたモデム識別ユニットを備え、前記モデム識別ユニットは、
前記ＤＳＬシステムからの運用データを収集するための手段と、
収集した運用データに基づいて、前記第１ＤＳＬモデム（１２２）の前記モデムタイプを識別するための手段とを備えており、前記識別手段は前記収集手段にカップリングされており、
前記運用データは、
ネットワーク管理プロトコルから利用できるパフォーマンス特徴付けデータ、
前記ＤＳＬシステムからの管理レベルデータ、
ＤＳＬネットワーク管理システムから収集したデータ、
ＤＳＬ管理エンティティから収集したデータ、
ＤＳＬ管理情報ベースから収集したデータ、
の内の少なくとも１つを備えている、ＤＳＬモデムタイプ識別子。
【請求項２】
前記ＤＳＬシステムから前記運用データを収集する前記手段は、前記運用データを前記第２ＤＳＬモデム（１４２）から直接または間接的に収集するために、前記モデム識別ユニットを備えている、請求項１に記載のＤＳＬモデム識別子。
【請求項３】
前記モデム識別ユニットは、
コンピュータ、
パーソナルコンピュータ（ＰＣ）、
ワークステーション、
の内の少なくとも１つを備えている、請求項１に記載のＤＳＬモデム識別子。
【請求項４】
前記収集した運用データに基づいて前記第１ＤＳＬモデム（１２２）の前記モデムタイプを識別する前記手段は、前記収集した運用データを、前記収集した運用データがＤＳＬモデムタイプによって生成された尤度を評価することによって分析するために、前記モデム識別ユニットを備えている、請求項１に記載のＤＳＬモデム識別子。
【請求項５】
前記ＤＳＬシステムから前記運用データを収集するための前記手段は、進行ベースにて前記運用データを収集するために、前記モデム識別ユニットを備えており、
収集した運用データに基づいて、前記第１ＤＳＬモデム（１２２）のモデムタイプを識別する前記手段は、選択した任意のＤＳＬモデムタイプを更新するために、モデム識別ユニットを備えている、請求項１に記載のＤＳＬモデム識別子。
【請求項６】
前記識別手段は、前記運用データに反映されるＤＳＬモデム特徴を、周知のＤＳＬモデムタイプの周知のＤＳＬモデム特徴と比較する、請求項１に記載のＤＳＬモデム識別子。
【請求項７】
前記ＤＳＬモデムタイプ識別子は、さらに、
周知のＤＳＬモデムタイプと、前記周知のＤＳＬモデムタイプの特徴とを保持するためのデータベースを備えている、請求項１に記載のＤＳＬモデム識別子。
【請求項８】
前記識別子はコントローラにカップリングされており、
前記コントローラは、
運用信号を生成し、これを前記ＤＳＬシステムに送信する手段を備えている、請求項１に記載のＤＳＬモデム識別子。
【請求項９】
前記コントローラはＤＳＭセンターである、請求項８に記載のＤＳＬモデム識別子。
【請求項１０】
ＤＳＬシステム用のコントローラであって、
前記ＤＳＬシステムから運用データを収集し、前記ＤＳＬシステム上のＤＳＬモデムのタイプを前記収集した運用データに基づいて識別するように構成されたコンピュータを備えたＤＳＬモデム識別ユニットを備えており、前記運用データは、前記運用データを生成するモデムタイプの特徴を反映するデータを備えており、
前記コンピュータは前記ＤＳＬシステムにカップリングしており、さらに、前記運用データは、
ネットワーク管理プロトコルから利用できるパフォーマンス特徴付けデータ、
前記ＤＳＬシステムからの管理レベルデータ、
ＤＳＬネットワークシステム管理システムから収集したデータ、
ＤＳＬ管理エンティティから収集したデータ、
ＤＳＬ管理情報ベースから収集したデータ、
の内の少なくとも１つを備えている、コントローラ。
【請求項１１】
前記コンピュータは、
運用データを収集するために前記ＤＳＬシステムにカップリングしている収集手段と、
前記収集した運用データに基づいてモデムタイプを決定するべく、収集した運用データを分析するために前記収集手段にカップリングしている識別手段とを備える、請求項１０に記載のコントローラ。
【請求項１２】
前記運用データは、
上流側ビット分布、下流側ビット分布、上流側送信出力、下流側送信出力、上流側ＳＮＲマージン、下流側ＳＮＲマージン、上流側の現行データレート、下流側の現行データレート、上流側最大達成データレート、下流側最大達成可能データレート、上流側相対的キャパシティ、下流側相対的キャパシティ、上流側減衰、下流側減衰、上流側ＡＴＭセルカウント、下流側ＡＴＭセルカウント、プロフィール情報、上流側ＣＶ（コード違反）カウント、下流側ＣＶ（コード違反）カウント、上流側ＦＥＣ（前進型誤信号訂正）カウント、ＬＯＳ（信号の喪失）カウント、上流側ＥＳ（エラー秒数）、下流側ＥＳ（エラー秒数）、上流側ＳＥＳ（重大エラー秒数）、下流側ＳＥＳ（重大エラー秒数）の内の少なくとも１つを備えている、請求項１１に記載のコントローラ。
【請求項１３】
前記運用データは、
前記排除データまたは表示データの内の少なくとも１つを備えており、前記排除データは確実な特徴を記述し、前記表示データは蓋然的な特徴を記述する、請求項１０に記載のコントローラ。
【請求項１４】
前記ＤＳＬモデムタイプを識別することは、前記周知のＤＳＬモデムタイプのグループから前記ＤＳＬモデムタイプを選択することを備えている、請求項１０に記載のコントローラ。
【請求項１５】
前記コントローラはＤＳＭセンターである、請求項１０に記載のコントローラ。
【請求項１６】
前記運用データは、
前記ＤＳＬシステムにカップリングしているネットワーク管理システム、
前記ＤＳＬシステムにカップリングしている管理エンティティ、
前記ＤＳＬシステムにカップリングしている管理情報ベース、
の内の少なくとも１つを備える、請求項１０に記載のコントローラ。
【請求項１７】
ＤＳＬシステムにて動作中の第１ＤＳＬモデム（１２２）のタイプを識別する方法であって、
前記ＤＳＬシステムは、ＤＳＬ回線によって第２ＤＳＬモデム（１４２）にカップリングしている前記第１ＤＳＬモデム（１２２）を備えており、前記方法は、
運用データを収集し、
前記ＤＳＬシステム内で、前記収集した運用データに基づいて動作中に前記第１ＤＳＬモデム（１２２）のタイプを識別し、
前記運用データは、
ネットワーク管理プロトコルから利用できるパフォーマンス特徴付けデータ、
前記ＤＳＬシステムからの管理レベルデータ、
ＤＳＬネットワーク管理システムから収集したデータ、
ＤＳＬ管理エンティティから収集したデータ、
ＤＳＬ管理情報ベースから収集したデータ、
の内の少なくとも１つを備えている方法。
【請求項１８】
前記第１ＤＳＬモデム（１２２）のタイプを識別することは、
前記運用データを分析することと、
前記運用データが特定のＤＳＬモデムタイプに関連している尤度を計算することとを備えている、請求項１７に記載の方法。
【請求項１９】
前記運用データは、前記ＤＳＬモデムタイプの特徴を反映したデータを備えている、請求項１７に記載の方法。
【請求項２０】
コントローラによって実現される、請求項１７に記載の方法。
【請求項２１】
前記第１ＤＳＬモデム（１２２）のタイプを識別することは、複数の周知のＤＳＬモデムタイプから前記第１ＤＳＬモデム（１２２）のタイプを選択することを備えている、請求項２０に記載の方法。
【請求項２２】
前記識別されたＤＳＬモデムタイプに基づいて、前記ＤＳＬシステム用の制御信号を生成することをさらに備えている、請求項１７に記載の方法。
【請求項２３】
前記運用データは、
排除データまたは表示データの内の少なくとも１つを備えており、前記排除データは確実な特徴を、前記表示データは蓋然的な特徴を記述する、請求項１７に記載の方法。
【請求項２４】
前記排除データは、
パイロットトーンのロケーション、
報告された前記パイロットトーン中のビット数についてのデータ、
中間遅延インターリーブされたプロフィール運用データ、
出力バックオフデータ、
の内の少なくとも１つを備える、請求項２３に記載の方法。
【請求項２５】
前記運用データが特定のＤＳＬモデムタイプに関連している尤度を計算することは、運用データとして収集された排除データと矛盾するあらゆるＤＳＬモデムタイプを消去することを備え、前記排除データは確実な特徴を記述する、請求項１８に記載の方法。
【請求項２６】
前記表示データは、
下流側の減衰の安定性、
上流側の減衰の安定性、
上流側の伝送で用いられたトーンの数と比較した上流側の送信出力、
下流側の伝送で用いられたトーンの数と比較した下流側の送信出力、
上流側のビット分布の立ち上がりおよび立ち下がりの勾配、
下流側のビット分布の立ち上がりおよび立ち下がりの勾配、
上流側の減衰に対する下流側の減衰、
トーン当たりロードされるビットの最大数、
異常なマージン値、
上流側伝送の現行のデータレートと達成可能最大データレート間の差、
下流側伝送の現行データレートと達成可能最大データレート間の差の内の少なくとも１つに関するデータ提供情報を備えている、請求項２３に記載の方法。
【請求項２７】
前記運用データが複数のＤＳＬモデムタイプに関連する尤度を計算することは、運用データとして収集された表示データに基づいて複数のＤＳＬモデムタイプに対するスコアを生成することを備えている、請求項１８に記載の方法。
【請求項２８】
前記ＤＳＬシステム内で動作している前記第１ＤＳＬモデム（１２２）のタイプを、前記収集した運用データに基づいて識別することは、
候補ＤＳＬモデムタイプのリストを作成することと、
前記候補ＤＳＬモデムタイプのリストから１または複数の利用できないＤＳＬモデムタイプを排除するために、前記収集した運用データの１または複数の特徴を、周知のＤＳＬモデムタイプの動作データ特徴と比較することと、
候補ＤＳＬモデムタイプのリスト上に残っている利用可能なＤＳＬモデムにスコアを割り当てるために、前記収集した運用データの１または複数の特徴を、周知のＤＳＬモデムの運用データ特徴と比較することと、
候補ＤＳＬモデムタイプのリストに残っている、最高のスコアを前記利用可能なＤＳＬモデムタイプを選択することで、前記第１ＤＳＬモデム（１２２）のタイプを識別することとを備える、請求項１７に記載の方法。
【請求項２９】
前記運用データは、前記第２ＤＳＬモデム（１４２）から直接的または選択的に収集される、請求項１７に記載の方法。
【請求項３０】
ＤＳＬシステム中の第１ＤＳＬモデム（１２２）のタイプを識別するプログラム命令が与えられる機械可読媒体を備えたコンピュータプログラムプロダクトであって、前記ＤＳＬシステムは、ＤＳＬ回線によって第２ＤＳＬモデム（１４２）にカップリングされた前記第１ＤＳＬモデム（１２２）を備え、前記プログラム命令は、
前記ＤＳＬシステムから運用データを収集する命令と、
前記運用データを分析する命令と、
前記運用データが特定のモデムタイプと関連する前記尤度を計算する命令とを備え、
前記運用データは、
ネットワーク管理プロトコルから利用可能なパフォーマンス／特徴付けデータ、
前記ＤＳＬシステムからの管理レベルデータ、
ＤＳＬネットワーク管理システムから収集したデータ、
ＤＳＬ管理エンティティから収集したデータ、
ＤＳＬ管理情報ベースから収集したデータの内の少なくとも１つを備えている、コンピュータプログラムプロダクト。
【請求項３１】
前記運用データは、前記運用データを生成する前記モデムの特徴を反映するデータを備えている、請求項３０に記載のコンピュータプログラムプロダクト。
【請求項３２】
前記運用データは、前記第２ＤＳＬモデム（１４２）から直接または間接的に収集される、請求項３０に記載のコンピュータプログラムプロダクト。
【請求項３３】
前記運用データは表示データまたは排除データ、あるいはこれら双方を備えており、前記排除データは確実な特徴を記述し、前記表示データは蓋然的な特徴を記述し、
前記ＤＳＬシステム中の前記第１ＤＳＬモデム（１２２）のタイプを識別することは、前記収集した運用データを分析することを備え、前記分析は、
前記収集した運用データに基づいて、周知のモデムタイプのセットの特徴にスコアを割り当てること、
周知のモデムタイプにスコアを割り当てること、
排除データを適用して、識別の考慮となる対象から１つ以上の周知のモデムタイプを除去することの内の少なくとも１つを備えており、
前記方法はさらに、分析された前記収集した運用データに基づいて前記第１ＤＳＬモデム（１２２）のタイプを選択することを備える、請求項１７に記載の方法。
【請求項３４】
前記第１ＤＳＬモデム（１２２）のタイプを選択することは軟判定を生じる、請求項３３に記載の方法。
【請求項３５】
前記収集した運用データを分析することは、最初に、収集された運用データ中のいずれかの排除データを適用して、識別の考慮となる対象から１つ以上の周知モデムタイプを除去し、次に、前記収集された運用データ中のいずれかの表示データに基づいて周知のモデムタイプにスコアを割り当てることを備えている、請求項３３に記載の方法。
【請求項３６】
前記運用データは、前記第２ＤＳＬモデム（１４２）から直接または間接的に収集される、請求項３３に記載の方法。